【事件の表示】
　特許第３３９５５５２号「レンズカバーを有するカメラ」の請求項１ないし４に係る特許に対する特許異議の申立てについて、次のとおり決定する。
【結　論】
　訂正を認める。
　特許第３３９５５５２号の請求項１ないし４に係る特許を維持する。
【理　由】
１．手続の経緯
　特許第３３９５５５２号の請求項１乃至４に係る発明についての出願は、平成８年１２月６日に特許出願され、平成１５年２月７日にその発明について特許権の設定登録がなされ、その後、その特許について、異議申立人・富岡康之より特許異議の申立てがなされ、取消しの理由が通知され、その指定期間内である平成１６年５月１７日に訂正請求がなされたものである。
　
２．訂正の適否についての判断
（１）訂正の内容
ア．訂正事項１
　特許請求の範囲の請求項１について、「該レンズカバーが前記閉位置にあるとき、前記レンズカバーの前面が、前記開位置にあるときのレンズカバーの前面よりもカメラ本体側へ沈み込むように前記レンズカバーを案内する案内部材を有し、前記案内部材は、前記撮影レンズの光軸方向に対して変位する傾斜面を形成することを特徴とするレンズカバーを有するカメラ。」とあるのを、
　「該レンズカバーが前記閉位置にあるとき、前記レンズカバーの前面が、前記開位置にあるときのレンズカバーの前面よりもカメラ本体側へ沈み込むように前記レンズカバーを案内する案内手段を有し、前記案内手段は、溝もしくは突起部で構成され、前記撮影レンズの光軸方向に対して略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有することを特徴とするレンズカバーを有するカメラ。」と訂正する。
　
イ．訂正事項２
　同請求項２について、「前記レンズカバーは、前記案内部材に係合する２つの従動部材を含み、該従動部材は前記傾斜面よりも長い間隔をもって配置されことを特徴とする請求項１に記載のレンズカバーを有するカメラ。」とあるのを、
　「前記レンズカバーは、前記溝もしくは突起部に係合する２つの従動部材を含み、該従動部材は前記傾斜部よりも長い間隔をもって配置されたことを特徴とする請求項１に記載のレンズカバーを有するカメラ。」と訂正する。
　
ウ．訂正事項３
　同請求項３について、「前記レンズカバーが前記閉位置から前記開位置へ移行するときに、前記移動方向側の前記レンズカバー端が前記前カバーの前万へ移動可能な如く、前記レンズカバーを案内する案内部材を有することを特徴とするレンズカバーを有するカメラ。」とあるのを、
　「前記レンズカバーが前記閉位置から前記開位置へ移動するときに、前記移動方向側の前記レンズカバー端が前記前カバーの前方へ移動可能な如く、前記レンズカバーを案内する案内手段を有し、前記案内手段は、溝もしくは突起部で構成され、前記撮影レンズの光軸方向に対して略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有することを特徴とするレンズカバーを有するカメラ。」と訂正する。
　
エ．訂正事項４
　同請求項４について、「前記レンズカバーを前記閉位置から前記開位置へ移行させさときに前記レンズカバーを前記連結面に干渉させないように前記レンズカバー案内する案内部材とを有することを特徴とするレンズカバーを有するカメラ。」とあるのを、
　「前記レンズカバーを前記閉位置から前記開位置へ移動させたときに前記レンズカバーを前記連結面に干渉させないように前記レンズカバー案内する案内手段を有し、前記案内手段は、溝もしくは突起部で構成され、前記撮影レンズの光軸方向に対して略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有することを特徴とするレンズカバーを有するカメラ。」と訂正する。
　
オ．訂正事項５
　発明の詳細な説明の段落「０００６」について、
　「この目的を達成するために、請求項１の発明は、撮影レンズ前面を覆う閉位置と前面からカメラの前カバーの前方へ退避する開位置との間で移動可能なレンズカバーを有し、レンズカバーが閉位置にあるとき、レンズカバーの前面が、開位置にあるときのレンズカバーの前面よりもカメラ本体側へ沈み込むようにレンズカバーを案内する案内部材を有し、案内部材は、撮影レンズの光軸方向に対して変位する傾斜面を形成することを特徴とする。
　請求項２の発明は、請求項１において、レンズカバーは、案内部材に係合する２つの従動部材を含み、従動部材は傾斜面よりも長い間隔をもって配置されことを特徴とする。
　請求項３の発明は、撮影レンズ前面を覆う閉位置と前面からカメラの前力バーの前方へ退避する開位置との間で移動可能なレンズカバーを有し、レンズカバーが閉位置にあるとき、レンズカバーの前面が、開位置にあるときのレンズカバーの前面よりもカメラ本体側へ沈み込むようなレンズカバーを有するカメラにおいて、レンズカバーが閉位置から開位置へ移行するときに、移動方向側のレンズカバー端が前カバーの前万へ移動可能な如く、レンズカバーを案内する案内部材を有することを特徴とする。
　請求項４の発明は、撮影レンズ前面を覆う閉位置と前面からカメラの前カバーの前方へ退避する閉位置との間で移動可能なレンズカバーを有するカメラにおいて、レンズカバーが閉位置にあるときにレンズカバーの裏面と対向する第１ボディ前面と、レンズカバーが開位置にあるときにレンズカバーの裏面と対向する第２ボディ前面と、第１、第２前面を連結する連結面と、レンズカバーを閉位置から開位置へ移行させさときにレンズカバーを連結面に干渉させないようにレンズカバー案内する案内部材とを有することを特徴とする。」とあるのを、
　「この目的を達成するために、請求項１の発明は、撮影レンズ前面を覆う閉位置と前面からカメラの前カバーの前方へ退避する開位置との間で移動可能なレンズカバーを有し、レンズカバーが閉位置にあるとき、レンズカバーの前面が、開位置にあるときのレンズカバーの前面よりもカメラ本体側へ沈み込むようにレンズカバーを案内する案内手段を有し、前記案内手段は、溝もしくは突起部で構成され、前記撮影レンズの光軸方向に対して略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有することを特徴とする。請求項２の発明は、前記レンズカバーは、前記溝もしくは突起部に係合する２つの従動部材を含み、従動部材は傾斜部よりも長い間隔をもって配置されことを特徴とする。請求項３の発明は、撮影レンズ前面を覆う閉位置と前面からカメラの前力バーの前方へ退避する開位置との間で移動可能なレンズカバーを有し、レンズカバーが閉位置にあるとき、レンズカバーの前面が、開位置にあるときのレンズカバーの前面よりもカメラ本体側へ沈み込むようなレンズカバーを有するカメラにおいて、レンズカバーが閉位置から開位置へ移動するときに、前記移動方向側の前記レンズカバー端が前記前カバーの前方へ移動可能な如く、前記レンズカバーを案内する案内手段を有し、前記案内手段は、溝もしくは突起部で構成され、前記撮影レンズの光軸方向に対して略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有することを特徴とする。請求項４の発明は、撮影レンズ前面を覆う閉位置と前面からカメラの前カバーの前方へ退避する閉位置との間で移動可能なレンズカバーを有するカメラにおいて、レンズカバーが閉位置にあるときにレンズカバーの裏面と対向する第１ボディ前面と、レンズカバーが開位置にあるときにレンズカバーの裏面と対向する第２ボディ前面と、第１、第２前面を連結する連結面と、前記レンズカバーを前記閉位置から前記開位置へ移動させたときに前記レンズカバーを前記連結面に干渉させないように前記レンズカバー案内する案内手段を有し、前記案内手段は、溝もしくは突起部で構成され、前記撮影レンズの光軸方向に対して略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有することを特徴とする。」と訂正する。
　
（２）訂正の目的の適否、新規事項の有無及び拡張・変更の存否
　訂正事項１は、レンズカバーを案内する案内部材（案内手段）を限定しようとするものであり、特許請求の範囲の減縮を目的とするものに該当する。
　訂正事項１は、発明の詳細な説明の段落「０００７」〜「００１７」の「発明の実施の形態」の項及び図１〜図４に示されていることは明らかである。
　訂正事項２乃至４は、訂正事項１と同様、前記案内部材（案内手段）を限定しようとするものであり、特許請求の範囲の減縮を目的とするものに該当する。
　訂正事項２乃至４は、発明の詳細な説明の段落「０００７」〜「００１７」の「発明の実施の形態」の項及び図１〜図４に示されていることは明らかである。
　訂正事項５は、訂正事項１乃至４の訂正に伴い、発明の詳細な説明中の記載を、特許請求の範囲の記載に適合させようとするものであり、明りょうでない記載の釈明を目的とするものに該当する。
　また、訂正事項１乃至５はいずれも、新規事項の追加に該当せず、実質的に特許請求の範囲を拡張又は変更するものではない。
　
（３）むすび
　したがって、上記訂正は、特許法第１２０条の４第２項及び同条第３項で準用する第１２６条第２項及び第３項の規定に適合するので、当該訂正を認める。
　
３．特許異議の申立ての概要
（Ａ）異議申立人は、甲第１号証（実願昭５７−６０９８２号（実開昭５８−１６３９３８号）のマイクロフィルム）（以下、「刊行物１」という。）を提出して、本件の請求項１乃至４に係る発明（以下、「本件発明１乃至４」という。）の特許は特許法第２９条第１項第３号又は第２９条第２項の規定に違反してなされたものであるから、本件発明１乃至４の特許を取り消すべき旨、
（Ｂ）異議申立人は、甲第２号証（特願平７−３５２３８９号（特開平９−１８５１０２号公報参照）の願書に最初に添付した明細書及び図面）（以下、「先願明細書」という。）を提出して、本件発明１及び３の特許は特許法第２９条の２の規定に違反してなされたものであるから、本件発明１及び３の特許を取り消すべき旨、
（Ｃ）異議申立人は、本件明細書の記載は願書に最初に添付した明細書又は図面に記載した事項の範囲内ではないので、本件発明１乃至４の特許は特許法第１７条の２第３項の規定に違反してなされたものであるから、本件発明１乃至４の特許を取り消すべき旨、
（Ｄ）異議申立人は、本件明細書の記載は明確ではないので、本件発明１乃至４の特許は特許法第３６条第４項及び同第６項の規定に違反してなされたものであるから、本件発明１乃至４の特許を取り消すべき旨、主張している。
　
４．特許異議申立て理由のうち（Ａ）についての判断
（１）本件発明
　上記２．で示したように上記訂正が認められるから、本件発明１乃至４は、上記訂正に係る訂正明細書の特許請求の範囲の請求項１乃至４に記載された事項に特定されるとおりのものである。（上記２．（１）訂正の内容参照。）
　
（２）刊行物１に記載された発明
　携帯時には薄型で凹凸のないフラットな形状となるスライドカバーを有するカメラに関するもので、
ア．明細書第４頁から５頁にかけて「カメラ本体上面と下面には、それぞれ別に第３図に示したようなカム溝６が設けてある。７は保護部材であるスライドカバーで、金属板または樹脂板等によって形成され、スライドカバー７の上下面内側にはピン８が設けられている。ピン８はカム溝６に嵌入されていて、スライドカバー７の移動は、ピン８がカム溝６に沿って摺動することによってなされる。カム溝６は図示したようなカム溝形状をしているので、カメラ携帯時には第１図に示すように、スライドカバー７は落ち込んでカメラ１正面はほぼ同一面でフラットとなり、同一厚みの薄形カメラとなる。またスライドカバー７はカメラ１正面の撮影レンズ２とファインダ３をカバーし、携帯に極めて便利である。保護部材であるスライドカバー７を左方に移動させると、撮影レンズ２、ファインダ３のカバーは除かれて撮影可能の状態となる。またスライドカバー７はカム溝６の形状からカメラ１の表面層１１の上に乗り上げるような形となり、スライドカバー７部分はカメラ１の他部分より厚くなる。よって第２図（ａ）に示すようにスライドカバー７の隅部７１に指をかけて手Ｈによってカメラ１を保持しやすくなり、撮影操作が容易となる。」と記載される。
　　
　したがって、刊行物１には、第１図乃至第３図も参照すると、撮影レンズ前面を覆う閉位置と前面からカメラの前カバーの前方へ退避する開位置との間で移動可能なスライドカバー７を有し、スライドカバー７が閉位置にあるとき、スライドカバー７の前面が、開位置にあるときのスライドカバー７の前面よりもカメラ本体側へ沈み込むようにスライドカバー７を案内する案内手段を有し、前記案内手段は、カム溝６で構成されるスライドカバー７を有するカメラ、について記載されているといえる。
　
（３）対比・判断
［本件発明１について］
　本件発明１と上記刊行物１に記載された発明とを比較検討する。
　カム溝６の形状に関し、刊行物１に記載された発明では、その第３図に示されるように、傾斜部（異議申立人が「６ａＬ」と参照符号を付した部分。）がカム溝６から中央部分で分岐した形状となっており、本件発明１のように、撮影レンズの光軸方向に対して略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有するものではない。即ち、第１の案内部、傾斜部及び第２の案内部の三つの部位によって連続した一本の溝を構成するものではない。
　そして、本件発明１は上記案内手段の構成を採ることにより、刊行物１の発明に比べてレンズカバー（スライドカバー）をスムーズに開閉することができるという優れた効果を奏するものである。
　したがって、本件発明１は、刊行物１に記載された発明であるとはいえないし、また、刊行物１に記載された発明に基いて当業者が容易になし得た発明であるともいえない。
　
［本件発明２について］
　本件発明２は本件発明１を引用する発明で、本件発明１の構成を全て含む発明であるから、［本件発明１について］の項で述べた理由と同様の理由により、本件発明２は、刊行物１に記載された発明であるとはいえないし、また、刊行物１に記載された発明に基いて当業者が容易になし得た発明であるともいえない。
　
［本件発明３及び４について］
　本件発明３及び４はいずれも、案内手段の構成について本件発明１と同じ構成を有するものであるから、［本件発明１について］の項で述べた理由と同様の理由により、刊行物１に記載された発明であるとはいえないし、また、刊行物１に記載された発明に基いて当業者が容易になし得た発明であるともいえない。
　
５．特許異議申立て理由のうち（Ｂ）についての判断
（１）先願明細書に記載された発明
　カメラの前面に配置された撮影レンズ、ファインダー窓、ＡＦ窓等をカメラ不使用時に保護するバリアに関するもので、
ア．特許請求の範囲は下記のように記載されている。
「【請求項１】　カメラ前面の撮影レンズ等を覆うことのできるバリアにおいて、該バリアはカメラ本体に対し、フイルム面に平行にスライド可能とするとともに、フイルム面に対して垂直方向にも移動可能とし、バリア閉鎖時にはバリアはカメラ内部へ進入してその突出量を減少させ、バリア開き時にはカメラ外部へ退避移動することを特徴とするフルフラットバリア。
【請求項２】該バリアを大小２体で構成し、大バリアはフイルム面に平行に移動可能とし、小バリアは該大バリアに対して回動可能に取付け、バリア閉鎖時には２枚のバリアが並列してカメラ前面を覆い、バリア開き時には該大バリアはスライドし、該小バリアは回動して鏡筒にほぼ沿って直立して退避するようにしたことを特徴とする請求項１記載のフルフラットバリア。」
イ．段落【００１３】に、「次に、カメラ使用のために、バリアを開くには図４に示すように小バリア４をカメラ内部へ向けて押し込む。そうすると、小バリア４はばね６の付勢力に抗して内側へ傾き、すべり止め４ａが指かかりとなるので、バリア３及び４を開き方向（図示左方向）へスライドさせると、前カバー１の開口部１ａのテーパ１ｂと大バリア３の端面のテーパ部３ａが接触し、大バリア３が前カバー１の上面に乗り上げる。このとき、バリア保持レバー１２はばね１５の付勢力に抗して反時計方向に回動し、被写体側（前方）に移動する。大バリア３がさらに左側へスライドしていくと、不図示のストッパーで停止する。この状態で小バリア４から指を離すと、小バリア４はばね６の付勢力で反時計方向に回動し、図５に示すように直立する。そして、小バリア４が完全に直立時に突片部４ｂでメインスイッチ２４をオンさせる。」と記載され、
　段落【００１４】に、「メインスイッチ２４がオンすると、不図示のモータの作動によりズーム鏡筒１０はカメラ前方に繰り出される。しかし、小バリア４はズーム鏡筒１０の側面に沿って直立しているので、ズーム鏡筒１０に当たることはない。そして、このバリア開状態を正面から見ると図７に示すようになる。」と記載される。
　　
（２）対比・判断
［本件発明１について］
　本件発明１と先願明細書に記載された発明とを比較検討する。
　先願明細書に記載された発明では、大バリア３，小バリア４を案内する手段としてバリア保持レバー１２，軸１３，金具１４、ばね１５等を用いるもので、本件発明１のような溝もしくは突起部を用いるものではない。
　したがって、本件発明１は、先願明細書に記載された発明と同一であるとはいえない。
［本件発明３について］
　本件発明３は、案内手段の構成について本件発明１と同じ構成を有するものであるから、［本件発明１について］の項で述べた理由と同様の理由により、先願明細書に記載された発明と同一であるとはいえない。
　
６．特許異議申立て理由のうち（Ｃ）についての判断
　本件発明１，３及び４の「撮影レンズ前面を覆う閉位置」、本件発明１，３及び４の「前面からカメラの前カバーの前方へ退避する開位置」、本件発明１及び３の「カメラ本体側へ沈み込むように」、本件発明１及び２の「傾斜部」、本件発明１乃至４の「レンズカバー」、本件発明２の「従動部材」、本件発明２の「傾斜部よりも長い間隔をもって配置され」、本件発明３の「レンズカバーが閉位置から開位置へ移動する」、本件発明４の「レンズカバーを閉位置から開位置へ移動させ」、本件発明３の「移動方向側のレンズカバー端が前カバーの前方へ移動可能なごとく」、本件発明４の「第１ボディ前面、第２ボディ前面」、本件発明４の「第１、第２前面を連結する連結面」、本件発明４の「連結面に干渉させないように」の各記載事項は、願書に最初に添付した明細書の「発明の実施の形態」の項及び図面に記載した事項の範囲内であることは明らかである。
　したがって、本件発明１乃至４の特許は特許法第１７条の２第３項の規定に違反してなされたものであるとすることはできない。
　
７．特許異議申立て理由のうち（Ｄ）についての判断
（１）請求項１乃至４に記載される「レンズカバー」、「案内手段」、「従動部材」はそれぞれ、「発明の実施の形態」の項に記載される「スライドカバー１１」、「ガイド溝１３」、「ガイドピン１１ａ、１１ｂ」に対応することは明らかである。
　また、請求項１乃至４に記載される「傾斜部」、「第１ボディ前面」、「第２ボディ前面」、「連結面」は図１，図２，図４に示されていることは明らかである。
（２）請求項１及び３の「撮影レンズ前面を覆う閉位置」、「前記前面からカメラの前カバーの前方へ退避する閉位置」は図１，図２に示されていることは明らかである。
（３）請求項１及び３の「カメラ本体側へ沈み込むよう」は図４（ａ）に示されていることは明らかである。
（４）請求項４の「前記レンズカバーを前記閉位置から前記開位置に移動させたとき」は、図４（ａ）から図４（ｃ）が移動する形態であることは明らかである。
　上記（１）乃至（４）以外の異議申立て事由（Ｄ）については、訂正請求により異議申立て事由が解消した。
　
　したがって、本件発明１乃至４の特許は特許法第３６条第４項及び同第６項の規定に違反してなされたものであるとすることはできない。
　
８．むすび
　以上のとおりであるから、特許異議申立ての理由、その証拠及び平成１６年３月８日付けの取消理由、その証拠によっては、本件発明１乃至４についての特許を取り消すことができない。
　また、他に本件発明１乃至４についての特許を取り消すべき理由を発見しない。
　よって、結論のとおり決定する。
【異議決定日】
平成１７年１０月３１日（２００５．１０．３１）
【訂正の要旨】
審決（決定）の【理由】欄参照。
（５４）【発明の名称】
レンズカバーを有するカメラ
（５７）【特許請求の範囲】
　【請求項１】撮影レンズ前面を覆う閉位置と前記前面からカメラの前カバーの前方へ退避する開位置との間で移動可能なレンズカバーを有し、該レンズカバーが前記閉位置にあるとき、前記レンズカバーの前面が、前記開位置にあるときのレンズカバーの前面よりもカメラ本体側へ沈み込むように前記レンズカバーを案内する案内手段を有し、
前記案内手段は、溝もしくは突起部で構成され
略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有
　【請求項２】前記レンズカバーは、
前記溝もしくは突起部
部
た
　【請求項３】撮影レンズ前面を覆う閉位置と前記前面からカメラの前カバーの前方へ退避する開位置との間で移動可能なレンズカバーを有し、該レンズカバーが前記閉位置にあるとき、前記レンズカバーの前面が、前記開位置にあるときのレンズカバーの前面よりもカメラ本体側へ沈み込むようなレンズカバーを有するカメラにおいて、
前記レンズカバーが前記閉位置から前記開位置へ移
動
方
、前記案内手段は、溝もしくは突起部で構成され、前記撮影レンズの光軸方向に対して略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有
　【請求項４】撮影レンズ前面を覆う閉位置と前記前面からカメラの前カバーの前方へ退避する閉位置との間で移動可能なレンズカバーを有するカメラにおいて、
前記レンズカバーが前記閉位置にあるときに前記レンズカバーの裏面と対向する第１ボディ前面と、前記レンズカバーが前記開位置にあるときに前記レンズカバーの裏面と対向する第２ボディ前面と、前記第１、第２前面を連結する連結面と、前記レンズカバーを前記閉位置から前記開位置へ移
動
た
前記案内手段は、溝もしくは突起部で構成され、前記撮影レンズの光軸方向に対して略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有
【発明の詳細な説明】
　【０００１】
　【発明の属する技術分野】本発明は、レンズカバーを有するカメラに関するものである。
　【０００２】
　【従来の技術】図５および図６は、従来のフルカバータイプのカメラの形状を示したもので、図５はカバーを全閉した状態を示し、図６はカバーを全開した状態を示している。
　【０００３】
スライドカバー５１は、ボディ５２の上面及び下面に設けられた直線のガイド溝５３に沿って直線的に移動する。即ち、レンズ５０を覆う状態（全閉状態）と、レンズ５０を開放する状態（全開状態）とに移動する。
　【０００４】
　【発明が解決しようとする課題】図５において、スライドカバー５１の全閉状態では、スライドカバー５１とカメラボディ５２との間に段差が生じ、カメラボディ５２のグリップ部５２ａ（図５）ではスライドカバー５１の厚さ分だけ薄くしなければならない。そのために、カメラ内部のスペースが削減されてしまう。逆にグリップ部５２ａの内部スペースを確保しようとすると、カメラの厚みか増加してしまう点で改善余地があった。
　【０００５】
本発明は、上記の問題点に鑑みてなされたもので、未使用時にカメラの前面をフルフラット化することと、非使用状態におけるボディの厚みを薄くすると同時にグリップ側の内部スペースを確保することを目的とする。
　【０００６】
　【課題を解決するための手段】この目的を達成するために、請求項１の発明は、撮影レンズ前面を覆う閉位置と前記前面からカメラの前カバーの前方へ退避する開位置との間で移動可能なレンズカバーを有し、該レンズカバーが前記閉位置にあるとき、前記レンズカバーの前面が、前記開位置にあるときのレンズカバーの前面よりもカメラ本体側へ沈み込むように前記レンズカバーを案内する案内手段を有し、
前記案内手段は、溝もしくは突起部で構成され
略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有
前記溝もしくは突起部
部
た
動
方
、前記案内手段は、溝もしくは突起部で構成され、前記撮影レンズの光軸方向に対して略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有
動
た
前記案内手段は、溝もしくは突起部で構成され、前記撮影レンズの光軸方向に対して略垂直に形成された第１の案内部と、前記第１の案内部に連続して形成され前記光軸方向に対して傾斜した傾斜部と、前記傾斜部に連続して形成され前記光軸方向に対して略垂直な第２の案内部と、を有
　【０００７】
　【発明の実施の形態】以下、本発明の実施の形態を図面に基づいて説明する。
　【０００８】
図１および図２は、本発明によるレンズカバーを有するカメラの一実施例を示す斜視図である。図１はカバーを全閉した状態を示し、図２はカバーを全開した状態を示している。
　【０００９】
図１および図２において、スライドカバー１１は、カメラボディ１２の上面及び下面に設けられたガイド溝１３に沿って移動する。即ち、スライドカバー１１はガイド溝１３に案内されて、撮影レンズ２１ａを覆う状態（全閉状態）と撮影レンズ２１ａを開放する状態（全開状態）とに移動する。
　【００１０】
なお、図１の１４はレリーズ釦、１５はストロボである。また、図２の２１はレンズ鏡筒、２２はオートフォーカス窓、２３はファインダー窓である。
　【００１１】
図３は、中央縦断面を示した断面図である。カメラボディ１２の上面及び下面に設けられたガイド溝１３に、スライドカバー１１の内側に突き出ているガイドピン１１ａが上下の二方向から係合している。これによりスライドカバー１１は、ガイド溝１３から外れることなくガイド溝１３に案内されて移動する。
　【００１２】
図４は上面図であり、スライドカバー１１の開閉動作を説明している。
　【００１３】
図４（ａ）は、カメラの非使用状態、即ちスライドカバー１１の全閉状態を示している。ガイド溝１３には、スライドカバー１１から突き出たガイドピン１１ａ及び１１ｂが係合している。この状態でカメラ前面はスライドカバー１１とその隣接するカメラボディ１２の表面との間で段差の無い状態、即ちフルフラット形状になっている。
　【００１４】
図４（ｂ）は、スライドカバー１１を途中までスライドさせた状態を示している。図４（ａ）の状態からスライドカバー１１が矢印Ａ方向にスライドされると、まずガイドピン１１ａがガイド溝１３の折れ曲がり部１３ａの形状に沿って動き、スライドカバー１１は図４（ｂ）に示した如く進行方向の先端部がボディ１２より浮き上がる。スライドカバー１１を更に矢印Ｂ方向にスライドすると、図４（ｃ）に示す状態となる。
　【００１５】
図４（ｃ）は、スライドカバー１１の全開状態を示している。スライドカバー１１が、全開状態になったことを不図示のスイッチにより検知して、不図示の駆動機構により鏡筒２１が繰り出される。スライドカバー１１の全開状態では、図２で示したようにオートフォーカス窓２２とファインダー窓２３も露出するので、カメラは使用可能状態（撮影状態）になる。この状態では、スライドカバー１１は、カメラホディのグリップとしての機能を果たす。
　【００１６】
スライドカバー１１を閉じる場合は、前記動作の逆を行えば良い。即ち、図４（ｂ）の状態を経由して、図４（ａ）のスライドカバー１１を全閉した状態に戻る。
　【００１７】
なお、上述した実施例では、スライドカバー１１を案内するのは溝１３として説明したが、突起（レール）であっても良く、更に他の案内部材であっても良い。
　【１０１８】
　【発明の効果】本発明によれば、カメラの未使用時にカメラの前面をフルフラット化することができる。またカメラの未使用時におけるボディの最大厚みを厚くすることなくグリップ側の内部スペースを確保することができる。さらに、カメラ使用時にはグリップ部の厚みを厚くすることができ、握り易くなる効果も得られる。特に、請求項１に記載の発明によれば、案内部材に撮影レンズの光軸方向に対して変位する傾斜面を形成したので、開位置と閉位置とレンズカバーをスムーズに移動させる
ことができる。
【図面の簡単な説明】
　【図１】本発明によるレンズカバーを有するカメラの一実施例を示す斜視図である。
　【図２】本発明によるレンズカバーを有するカメラの一実施例を示す斜視図である。
　【図３】本発明によるレンズカバーを有するカメラの一実施例を示す断面図である。
　【図４】本発明によるレンズカバーを有するカメラの一実施例を示す上面図である。
　【図５】従来のレンズカバーを有するカメラの一例を示す斜視図である。
　【図６】従来のレンズカバーを有するカメラの一例を示す斜視図である。
　【符号の説明】
　１１　スライドカバー
　１１ａ　ガイドピン
　１２　カメラボディ
　１３　ガイド溝
　１３ａ　折れ曲がり部
　２１　鏡筒
　２１ａ　撮影レンズ
　２２　オートフォーカス窓
　２３　ファインダー窓